(57)【特許請求の範囲】
【請求項１】
携帯情報端末によって遠隔操作可能な情報処理装置であって、
表示対象となるアプリケーションのウィンドウ内の所定の表示領域を、前記携帯情報端末の表示画面のサイズに合わせてサイズ変更し、前記携帯情報端末の表示画面に表示し、
前記所定の表示領域が、アプリケーションのウィンドウ内においてフレームで区切られる領域であり、該区切られた複数の領域における表示対象の切替要求を受信した場合、該切り替え先の領域を前記携帯情報端末の表示画面のサイズに合わせてサイズ変更し、前記携帯情報端末の表示画面に表示することを特徴とする情報処理装置。
【請求項２】
携帯情報端末によって遠隔操作可能な情報処理装置であって、
表示対象となるアプリケーションのウィンドウ内の所定の表示領域を、前記携帯情報端末の表示画面のサイズに合わせてサイズ変更するサイズ変更手段と、
前記サイズ変更手段が変更した前記所定の表示領域の画像を、前記携帯情報端末の表示画面に表示する遠隔画像出力手段とを有し、
前記所定の表示領域が、アプリケーションのウィンドウ内においてフレームで区切られる領域であり、該区切られた複数の領域における表示対象の切替要求を受信した場合、前記サイズ変更手段は、該切り替え先の領域を前記携帯情報端末の表示画面のサイズに合わせてサイズ変更することを特徴とする情報処理装置。
【請求項３】
携帯情報端末によって遠隔操作可能な情報処理装置であって、
表示対象となるアプリケーションのウィンドウ内の所定の表示領域を示す画像情報を格納する表示状態記憶手段と、
前記携帯情報端末からの遠隔接続要求を受信すると、前記携帯情報端末の表示画面のサイズを示すサイズ情報を取得するサイズ取得手段と、
前記表示状態記憶手段が格納した前記画像情報に基づいて生成される前記所定の表示領域の画像を、前記サイズ情報に基づき、サイズ変更する表示状態変更手段と、
前記表示状態変更手段が変更した前記所定の表示領域の画像を前記携帯情報端末の表示画面に表示する遠隔画像出力手段とを有し、
前記所定の表示領域が、アプリケーションのウィンドウ内においてフレームで区切られる領域であり、該区切られた複数の領域における表示対象の切替要求を受信した場合、前記表示状態記憶手段は、該切り替え先の領域を示す画像情報を格納することを特徴とする情報処理装置。
【請求項４】
携帯情報端末によって遠隔操作可能な情報処理装置のプログラムであって、
表示対象となるアプリケーションのウィンドウ内の所定の表示領域を、前記携帯情報端末の表示画面のサイズに合わせてサイズ変更させ、前記携帯情報端末の表示画面に表示させ、
前記所定の表示領域が、アプリケーションのウィンドウ内においてフレームで区切られる領域であり、該区切られた複数の領域における表示対象の切替要求を受信した場合、該切り替え先の領域を前記携帯情報端末の表示画面のサイズに合わせてサイズ変更させ、前記携帯情報端末の表示画面に表示させる処理を前記情報処理装置のコンピュータに実行させることを特徴とするプログラム。
【請求項５】
携帯情報端末によって遠隔操作可能な情報処理装置のプログラムであって、
表示対象となるアプリケーションのウィンドウ内の所定の表示領域を、前記携帯情報端末の表示画面のサイズに合わせてサイズ変更させるサイズ変更ステップと、
前記サイズ変更ステップで変更された前記所定の表示領域の画像を、前記携帯情報端末の表示画面に表示させる遠隔画像出力ステップと、を前記情報処理装置のコンピュータに実行させ、
前記所定の表示領域が、アプリケーションのウィンドウ内においてフレームで区切られる領域であり、該区切られた複数の領域における表示対象の切替要求を受信した場合、前記サイズ変更ステップでは、該切り替え先の領域を前記携帯情報端末の表示画面のサイズに合わせてサイズ変更することを特徴とするプログラム。
【請求項６】
携帯情報端末によって遠隔操作可能な情報処理装置のプログラムであって、
表示対象となるアプリケーションのウィンドウ内の所定の表示領域を示す画像情報を格納させる表示状態記憶ステップと、
前記携帯情報端末からの遠隔接続要求を受信すると、前記携帯情報端末の表示画面のサイズを示すサイズ情報を取得させるサイズ取得ステップと、
前記表示状態記憶ステップで格納された前記画像情報に基づいて生成される前記所定の表示領域の画像を、前記サイズ情報に基づき、サイズ変更させる表示状態変更ステップと、
前記表示状態変更ステップで変更された前記所定の表示領域の画像を前記携帯情報端末の表示画面に表示させる遠隔画像出力ステップと、を前記情報処理装置のコンピュータに実行させ、
前記所定の表示領域が、アプリケーションのウィンドウ内においてフレームで区切られる領域であり、該区切られた複数の領域における表示対象の切替要求を受信した場合、前記表示状態記憶ステップでは、該切り替え先の領域を示す画像情報を格納することを特徴とするプログラム。
【請求項７】
画像情報をネットワークに送出する情報処理装置と、前記画像情報を受信するとともに、画面に表示する携帯情報端末とを有し、
前記情報処理装置は、前記携帯情報端末からの要求に基づいて、表示対象となるウィンドウの所定の表示領域の画像を、前記携帯情報端末の表示画面のサイズに合わせてサイズ変更して送出し、
前記携帯情報端末は、前記表示画面に、サイズ変更された前記所定の表示領域の画像を表示し、
前記情報処理装置は、前記所定の表示領域が、アプリケーションのウィンドウ内においてフレームで区切られる領域であり、該区切られた複数の領域における表示対象の切替要求を前記携帯情報端末から受信した場合、該切り替え先の領域を前記携帯情報端末の表示画面のサイズに合わせてサイズ変更して送出することを特徴とする遠隔操作システム。
【請求項８】
画像情報をネットワークに送出する情報処理装置と、前記画像情報を受信するとともに、画面に表示する携帯情報端末とを有し、
前記情報処理装置は、前記携帯情報端末からの要求に基づいて、表示対象となるウィンドウの所定の表示領域の画像を、前記携帯情報端末の表示画面のサイズに合わせてサイズ変更するサイズ変更手段と、
前記サイズ変更手段がサイズ変更した前記所定の表示領域の画像を送出する送出手段とを有し、
前記携帯情報端末は、前記表示画面に、受信した前記所定の表示領域の画像を表示する表示手段を有し、
前記所定の表示領域が、アプリケーションのウィンドウ内においてフレームで区切られる領域であり、該区切られた複数の領域における表示対象の切替要求を前記情報処理装置が受信した場合、前記サイズ変更手段は、該切り替え先の領域を前記携帯情報端末の表示画面のサイズに合わせてサイズ変更することを特徴とする遠隔操作システム。
【請求項９】
画像情報をネットワークに送出する情報処理装置と、前記画像情報を受信するとともに、画面に表示する携帯情報端末とを有し、
前記情報処理装置は、
表示対象となるアプリケーションのウィンドウ内の所定の表示領域を示す表示情報を格納する表示状態記憶手段と、
前記携帯情報端末からの遠隔接続要求を受信すると、前記携帯情報端末の表示画面のサイズを示すサイズ情報を取得するサイズ取得手段と、
前記表示状態記憶手段が格納した前記表示情報に基づいて生成される前記所定の表示領域の画像を、前記サイズ情報に基づき、サイズ変更する表示状態変更手段と、
前記表示状態変更手段が変更した前記所定の表示領域の画像を前記携帯情報端末に送出する送出手段とを有し、
前記携帯情報端末は、前記表示画面に、受信した前記所定の表示領域の画像を表示する表示手段を有し、
前記所定の表示領域が、アプリケーションのウィンドウ内においてフレームで区切られる領域であり、該区切られた複数の領域における表示対象の切替要求を前記情報処理装置が受信した場合、前記表示状態記憶手段は、該切り替え先の領域を示す画像情報を格納することを特徴とする遠隔操作システム。
【発明の詳細な説明】
【技術分野】
【０００１】
本発明は、ユーザーが、携帯情報端末を用いて、遠隔地に設置されている情報処理装置を遠隔操作し、前記情報処理装置から出力される情報が、前記携帯情報端末の表示画面に表示される遠隔操作システムに関する。
【背景技術】
【０００２】
従来より、遠隔地に設置されている情報処理装置（例として、サーバーやパーソナルコンピュータが挙げられる）を、インターネット等のネットワークを介して、小型の携帯情報端末（例として、ＰＤＡ（Ｐｅｒｓｏｎａｌ  Ｄｉｇｉｔａｌ  Ａｓｓｉｓｔａｎｔ）や携帯電話機が挙げられる）によって遠隔操作をすることができる遠隔操作システムがある。
【０００３】
遠隔操作システムにおいて、携帯情報端末は、情報処理装置が有する表示画面に表示される画像情報を受信し、携帯情報端末の表示画面に表示している。
【０００４】
ここで、一般的に、情報処理装置が有する表示画面のサイズと、携帯情報端末の表示画面のサイズとを比較すると、携帯情報端末の表示画面の方が小さい。
【０００５】
そこで、情報処理装置から送信される画像情報を、携帯情報端末の表示画面に表示する際に、携帯情報端末の表示部のサイズに縮小して表示することが行われている。
【０００６】
しかしながら、携帯情報端末の表示画面のサイズに合わせて縮小して表示すると、画像情報に細かい文字が含まれている場合には非常に読みづらくなる。
【０００７】
なお、パソコンから伝送される画像情報を、携帯電話機の表示画面に縮小して表示し、画像が小さすぎて不鮮明なときには拡大して表示する携帯電話機が特許文献１に記載されている。
【０００８】
【特許文献１】特開２００６−１９７２９９号公報
【発明の開示】
【発明が解決しようとする課題】
【０００９】
ところで、上述した携帯情報端末の表示画面に、情報処理装置から伝送される画像情報を縮小せずに表示させる遠隔操作システムがある。
【００１０】
このような場合の遠隔操作システムでは、情報処理装置から伝送される画像情報のうち、携帯情報端末の表示画面に表示できる領域分だけを切り出して表示させている。
【００１１】
従って、携帯情報端末から情報処理装置にアクセスしているユーザーは、ユーザーが見たい領域を、携帯情報端末の表示画面に表示させるために、携帯情報端末の操作ボタンを操作しながら当該領域を移動させながら探さなければならない。
【００１２】
具体的には、図１０に示すように情報処理装置の表示画面Ｂ１内の、Ｂ２の領域は、アプリケーションの画面の一部を切り出した領域であるが、このＢ２の領域を、図１１に示すように携帯情報端末側の表示画面に表示させるためには、携帯情報端末側の操作ボタンで、表示画面に表示させる領域を移動させる操作が必要になる。
【００１３】
しかしながら、上述するように、情報処理装置が有する表示画面のサイズと、携帯情報端末の表示画面のサイズとを比較すると、携帯情報端末の表示画面の方が小さいため、表示領域を移動させる操作はユーザーにとって煩雑となる。
【００１４】
そこで、本発明は、ユーザーが所望する、表示対象のウィンドウ内の所定の表示領域を、ユーザーに表示領域を移動させながら探す作業をさせずに、情報処理装置を遠隔操作する携帯情報端末の表示画面に表示させる、遠隔操作システムを提供することを特徴とする。
【課題を解決するための手段】
【００１５】
本発明の第１の情報処理装置は、携帯情報端末によって遠隔操作可能な情報処理装置であって、表示対象となるアプリケーションのウィンドウ内の所定の表示領域を、前記携帯情報端末の表示画面のサイズに合わせてサイズ変更し、前記携帯情報端末の表示画面に表示し、前記所定の表示領域が、アプリケーションのウィンドウ内においてフレームで区切られる領域であり、該区切られた複数の領域における表示対象の切替要求を受信した場合、該切り替え先の領域を前記携帯情報端末の表示画面のサイズに合わせてサイズ変更し、前記携帯情報端末の表示画面に表示することを特徴とする。
【００１６】
本発明の第２の情報処理装置は、携帯情報端末によって遠隔操作可能な情報処理装置であって、表示対象となるアプリケーションのウィンドウ内の所定の表示領域を、前記携帯情報端末の表示画面のサイズに合わせてサイズ変更するサイズ変更手段と、前記サイズ変更手段が変更した前記所定の表示領域の画像を、前記携帯情報端末の表示画面に表示する遠隔画像出力手段とを有し、前記所定の表示領域が、アプリケーションのウィンドウ内においてフレームで区切られる領域であり、該区切られた複数の領域における表示対象の切替要求を受信した場合、前記サイズ変更手段は、該切り替え先の領域を前記携帯情報端末の表示画面のサイズに合わせてサイズ変更することを特徴とする。
【００１７】
本発明の第３の情報処理装置は、携帯情報端末によって遠隔操作可能な情報処理装置であって、表示対象となるアプリケーションのウィンドウ内の所定の表示領域を示す画像情報を格納する表示状態記憶手段と、前記携帯情報端末からの遠隔接続要求を受信すると、前記携帯情報端末の表示画面のサイズを示すサイズ情報を取得するサイズ取得手段と、前記表示状態記憶手段が格納した前記画像情報に基づいて生成される前記所定の表示領域の画像を、前記サイズ情報に基づき、サイズ変更する表示状態変更手段と、前記表示状態変更手段が変更した前記所定の表示領域の画像を前記携帯情報端末の表示画面に表示する遠隔画像出力手段とを有し、前記所定の表示領域が、アプリケーションのウィンドウ内においてフレームで区切られる領域であり、該区切られた複数の領域における表示対象の切替要求を受信した場合、前記表示状態記憶手段は、該切り替え先の領域を示す画像情報を格納することを特徴とする。
【００１８】
本発明の第１のプログラムは、携帯情報端末によって遠隔操作可能な情報処理装置のプログラムであって、表示対象となるアプリケーションのウィンドウ内の所定の表示領域を、前記携帯情報端末の表示画面のサイズに合わせてサイズ変更させ、前記携帯情報端末の表示画面に表示させ、前記所定の表示領域が、アプリケーションのウィンドウ内においてフレームで区切られる領域であり、該区切られた複数の領域における表示対象の切替要求を受信した場合、該切り替え先の領域を前記携帯情報端末の表示画面のサイズに合わせてサイズ変更させ、前記携帯情報端末の表示画面に表示させる処理を前記情報処理装置のコンピュータに実行させることを特徴とする。
【００１９】
本発明の第２のプログラムは、携帯情報端末によって遠隔操作可能な情報処理装置のプログラムであって、表示対象となるアプリケーションのウィンドウ内の所定の表示領域を、前記携帯情報端末の表示画面のサイズに合わせてサイズ変更させるサイズ変更ステップと、前記サイズ変更ステップで変更された前記所定の表示領域の画像を、前記携帯情報端末の表示画面に表示させる遠隔画像出力ステップと、を前記情報処理装置のコンピュータに実行させ、前記所定の表示領域が、アプリケーションのウィンドウ内においてフレームで区切られる領域であり、該区切られた複数の領域における表示対象の切替要求を受信した場合、前記サイズ変更ステップでは、該切り替え先の領域を前記携帯情報端末の表示画面のサイズに合わせてサイズ変更することを特徴とする。
【００２０】
本発明の第３のプログラムは、携帯情報端末によって遠隔操作可能な情報処理装置のプログラムであって、表示対象となるアプリケーションのウィンドウ内の所定の表示領域を示す画像情報を格納させる表示状態記憶ステップと、前記携帯情報端末からの遠隔接続要求を受信すると、前記携帯情報端末の表示画面のサイズを示すサイズ情報を取得させるサイズ取得ステップと、前記表示状態記憶ステップで格納された前記画像情報に基づいて生成される前記所定の表示領域の画像を、前記サイズ情報に基づき、サイズ変更させる表示状態変更ステップと、前記表示状態変更ステップで変更された前記所定の表示領域の画像を前記携帯情報端末の表示画面に表示させる遠隔画像出力ステップと、を前記情報処理装置のコンピュータに実行させ、前記所定の表示領域が、アプリケーションのウィンドウ内においてフレームで区切られる領域であり、該区切られた複数の領域における表示対象の切替要求を受信した場合、前記表示状態記憶ステップでは、該切り替え先の領域を示す画像情報を格納することを特徴とする。
【００２１】
本発明の第１の遠隔操作システムは、画像情報をネットワークに送出する情報処理装置と、前記画像情報を受信するとともに、画面に表示する携帯情報端末とを有し、前記情報処理装置は、前記携帯情報端末からの要求に基づいて、表示対象となるウィンドウの所定の表示領域の画像を、前記携帯情報端末の表示画面のサイズに合わせてサイズ変更して送出し、前記携帯情報端末は、前記表示画面に、サイズ変更された前記所定の表示領域の画像を表示し、前記情報処理装置は、前記所定の表示領域が、アプリケーションのウィンドウ内においてフレームで区切られる領域であり、該区切られた複数の領域における表示対象の切替要求を前記携帯情報端末から受信した場合、該切り替え先の領域を前記携帯情報端末の表示画面のサイズに合わせてサイズ変更して送出することを特徴とする。
【００２２】
本発明の第２の遠隔操作システムは、画像情報をネットワークに送出する情報処理装置と、前記画像情報を受信するとともに、画面に表示する携帯情報端末とを有し、前記情報処理装置は、前記携帯情報端末からの要求に基づいて、表示対象となるウィンドウの所定の表示領域の画像を、前記携帯情報端末の表示画面のサイズに合わせてサイズ変更するサイズ変更手段と、前記サイズ変更手段がサイズ変更した前記所定の表示領域の画像を送出する送出手段とを有し、前記携帯情報端末は、前記表示画面に、受信した前記所定の表示領域の画像を表示する表示手段を有し、前記所定の表示領域が、アプリケーションのウィンドウ内においてフレームで区切られる領域であり、該区切られた複数の領域における表示対象の切替要求を前記情報処理装置が受信した場合、前記サイズ変更手段は、該切り替え先の領域を前記携帯情報端末の表示画面のサイズに合わせてサイズ変更することを特徴とする。
【００２３】
本発明の第３の遠隔操作システムは、画像情報をネットワークに送出する情報処理装置と、前記画像情報を受信するとともに、画面に表示する携帯情報端末とを有し、前記情報処理装置は、表示対象となるアプリケーションのウィンドウ内の所定の表示領域を示す表示情報を格納する表示状態記憶手段と、前記携帯情報端末からの遠隔接続要求を受信すると、前記携帯情報端末の表示画面のサイズを示すサイズ情報を取得するサイズ取得手段と、前記表示状態記憶手段が格納した前記表示情報に基づいて生成される前記所定の表示領域の画像を、前記サイズ情報に基づき、サイズ変更する表示状態変更手段と、前記表示状態変更手段が変更した前記所定の表示領域の画像を前記携帯情報端末に送出する送出手段とを有し、前記携帯情報端末は、前記表示画面に、受信した前記所定の表示領域の画像を表示する表示手段を有し、前記所定の表示領域が、アプリケーションのウィンドウ内においてフレームで区切られる領域であり、該区切られた複数の領域における表示対象の切替要求を前記情報処理装置が受信した場合、前記表示状態記憶手段は、該切り替え先の領域を示す画像情報を格納することを特徴とする。
【発明の効果】
【００２４】
本発明によれば、ユーザーが所望する、表示対象のウィンドウ内の所定の表示領域を、ユーザーに表示領域を移動させながら探す作業をさせずに、情報処理装置を遠隔操作する携帯情報端末の表示画面に表示させる、遠隔操作システムを提供することができる。
【発明を実施するための最良の形態】
【００２５】
以下、図面を参照して本発明を実施するための最良の形態について説明する。図１は、本発明の実施の形態の情報処理システムを説明するためブロック図である。
【００２６】
図１を参照すると、遠隔操作システムは、情報処理装置１０と、情報処理装置１０に公衆ネットワーク１００で接続された携帯情報端末４０とからなる。
【００２７】
まず、本実施の形態の遠隔操作システムの概略を説明すると、この遠隔操作システムは、情報処理装置１０と、情報処理装置１０から画像情報を受信して表示する携帯情報端末４０とからなり、情報処理装置１０は、予め登録される表示状態設定情報に基づいてアプリケーションのウィンドウの画像情報を、携帯情報端末４０に送信し、携帯情報端末４０の表示画面のサイズに応じて、携帯情報端末４０の表示画面に表示させる。以下、詳細に説明する。
【００２８】
情報処理装置１０は、制御部２０と記憶部３０と表示部３５とを有する。制御部２０は、記録媒体に格納されたプログラムを読み込んで実行することにより、表示状態設定手段２１、表示状態変更手段２２、及び、アプリケーション起動手段２３を論理的に備える。
【００２９】
記憶部３０には、携帯情報端末４０が、情報処理装置１０を遠隔操作する際に参照される、表示状態設定情報１１０が記憶されている。
【００３０】
表示部３５は、情報処理装置１０の表示部画面部分であるディスプレイ装置である。なお、情報処理装置１０と、表示部３５とは、独立した装置であって良い。
【００３１】
情報処理装置１０の例として、具体的には、パーソナルコンピュータ、サーバー、ホームサーバー等が挙げられる。
【００３２】
一方、携帯情報端末４０は、制御部５０と、操作部６０と、表示部６５とを有する。制御部５０は、記録媒体に格納されたプログラムを読み込んで実行することにより、遠隔操作手段５１を論理的に備える。携帯情報端末４０は、いわゆる情報処理装置１０から携帯情報端末４０の画面に表示する画像情報を受信する態様のシンクライアントであり、ユーザーは、携帯情報端末４０の画面を見ながら、情報処理装置１０を操作し、携帯情報端末４０は、情報処理装置１０にコマンドを送信する。そして、そのコマンドに基づき、情報処理装置１０は、所定の処理をする。
【００３３】
携帯情報端末４０の例として、具体的には、ネットワーク接続機能を有する携帯電話、ＰＤＡ、シンクライアント端末等が挙げられる。
【００３４】
次に、本実施の形態の動作を説明する。図２は、情報処理装置１０において、表示状態設定情報１１０の設定の動作を説明するためのフローチャートである。
【００３５】
図２を参照すると、情報処理装置１０において、ユーザーの操作により、表示状態設定手段２１が、携帯情報端末４０から遠隔操作させるアプリケーションソフトウェア（以下、アプリケーションという。）を設定する（ステップＳ１）。
【００３６】
具体的には、情報処理装置１０で動作中のアプリケーションのうち、ユーザーが、携帯情報端末４０から、遠隔操作することを所望するアプリケーションを選択し、設定する。
【００３７】
各アプリケーションには、予め識別番号が設定されており、例えば、図４に示すような、電子メールアプリケーションを設定登録する場合、該電子メールアプリケーションのアプリケーション識別番号として「００１」が付されていたとすると、アプリケーション識別番号Ｎ１の値として、「００１」という値が、表示状態設定情報１１０に設定されることになる。
【００３８】
ステップＳ１で、アプリケーションソフトウェアが設定されると、次に、ユーザーの操作により、表示状態設定手段２１が、ユーザーが、携帯情報端末４０から、遠隔操作することを所望するアプリケーションのウィンドウを選択する（ステップＳ２）。
【００３９】
一般的に、１つのアプリケーションは、複数のウィンドウを有しており、それぞれのウィンドウに識別番号が付されている。
【００４０】
例えば、図４に示すような電子メールアプリケーションのウィンドウＡ１に、ウィンドウ識別番号として、「２１」が付されていたとすると、ウィンドウ識別番号Ｎ２の値として、「２１」という値が表示状態設定情報１１０に設定されることになる。
【００４１】
ステップＳ２で、遠隔操作するウィンドウが選択されると、ユーザーの操作により、表示状態設定手段２１が、当該ウィンドウ内のペインを選択する（ステップＳ３）。
【００４２】
ペインとは、本実施の形態では、ウィンドウ内のフレームで区切られた領域をいう。例えば、図４に示す電子メールアプリケーションのウィンドウＡ１内で仕切られたＡ２と、Ａ３と、Ａ４といったそれぞれの領域を指す。
【００４３】
なお、本実施の形態では、ユーザーは、図４に示すウィンドウＡ１内のＡ２のペイン（メールの既読・未読を示す情報、メールの差出人を示す情報、メールの件名を示す情報、メールの受信日時を示す情報、メールのサイズを示す情報の一覧を表示している領域）を、指定したとする。
【００４４】
ウィンドウＡ１内のそれぞれのペインには、予め識別番号が設定されている。例えば、ペインＡ２には、識別番号として、「３１」が付されていたとすると、ペイン識別番号Ｎ３の値として、「３１」という値が、表示状態設定情報１１０に設定されることになる。
【００４５】
また、ペインＡ３には、識別番号として、「３２」が付されていたとすると、「３２」という値が、表示状態設定情報１１０に設定されることになる。
【００４６】
同様に、ペインＡ４には、識別番号として、「３３」が付されていたとすると、「３３」という値が、表示状態設定情報１１０に設定されることになる。
【００４７】
ステップＳ３で、ペインの選択が行われると、表示状態設定手段２１は、選択されたペインの表示位置の情報を取得する（ステップＳ４）。
【００４８】
選択されたペインの表示位置の情報は、具体的には、表示部３５において選択されたペインが表示されている座標の情報である。
【００４９】
本実施の形態では、アプリケーションは起動されている状態であり、表示部３５にウィンドウＡ１が表示されており、選択されたペインの表示されている座標が定まる。
【００５０】
ステップＳ４で、ペインの表示位置の情報が取得されると、次に、表示状態設定手段２１は、選択されたペインのサイズの情報を取得する（ステップＳ５）。
【００５１】
選択されたペインのサイズ情報は、具体的には、選択されたペインの横の長さと縦の長さとを示す情報である。
【００５２】
本実施の形態では、アプリケーションは起動されている状態なので、表示部３５にウィンドウＡ１が表示されており、選択されたペインの表示されている座標から、サイズ情報は求まる。
【００５３】
ステップＳ５で、ペインのサイズ情報が取得されると、表示部３５に、表示状態設定手段２１は、携帯情報端末４０で操作をしたいペインが全て登録されたかを確認するメッセージを表示し、ユーザーに入力させる（ステップＳ６）。
【００５４】
本実施の形態では、図４に示すように、ペインＡ３（選択された電子メールを表示する領域）と、ペインＡ４（電子メールのフォルダを表示する領域）とが、まだ設定されていないので、ユーザーがさらに別のペインの設定をする操作をした場合には、表示状態設定手段２１は、ペインＡ３と、ペインＡ４とについても、ステップＳ３からの処理を繰り返す。
【００５５】
ステップＳ６で、全てのペインが設定されたとする操作が行われると、表示状態設定手段２１は、設定された情報を、表示状態設定情報１１０として登録する（ステップＳ７）。
【００５６】
図５は、本実施の形態における、表示状態設定情報１１０の一例である。
【００５７】
図５に示すように、本実施の形態では、上述の処理で設定された各ペインについての表示状態を示す情報が、ペイン毎に管理番号が付されて登録される。
【００５８】
以上で、情報処理装置１０において、予め設定される表示状態設定情報１１０の登録の処理は終了する。
【００５９】
なお、本実施の形態では、ウィンドウ単位で、各ペインの表示状態を示す情報を表示状態設定情報１１０に登録しているが、ステップＳ５の処理の後、ステップＳ７の処理に進んで、各ペイン毎に、表示状態設定情報１１０に登録するようにしても良い。
【００６０】
また、情報処理装置１０を遠隔操作する携帯情報端末４０を特定する端末情報と表示部６５のサイズ情報とを、表示状態設定情報１１０に登録することもできる。
【００６１】
端末情報を登録することにより、後述する遠隔操作のフローにおいて、サイズ情報を取得することなく、登録されているペインを、携帯情報端末の表示画面に表示することができる。
【００６２】
この場合には、表示状態設定手段２１は、ペインサイズＮ４と、表示位置Ｎ５（座標）とを、登録された携帯情報端末４０の表示画面のサイズに基づいて、サイズ変更して登録することにしても良い。
【００６３】
また、ユーザーが複数の携帯情報端末を有する場合には、それぞれの端末情報と表示画面のサイズ情報とを登録させるようにしても良い。
【００６４】
次に、本実施の形態の遠隔操作の動作を説明する。図３は、遠隔操作システムの動作を説明するためのフローチャートである。
【００６５】
図３を参照すると、まず、ユーザーの操作により、遠隔操作手段５１は、情報処理装置１０に対して、公衆ネットワーク１００を介して、接続要求を送信する（ステップＴ１）。
【００６６】
ステップＴ１で、接続要求が送信されると、遠隔操作手段２３は、携帯情報端末４０との接続を確立する（ステップＴ２）。
【００６７】
なお、このときに、遠隔操作手段２３は、携帯情報端末４０の認証処理を行ってから、接続を確立することにしても良い。
【００６８】
ステップＴ２で接続が確立されると、遠隔操作手段５１は、携帯情報端末４０の端末情報を情報処理装置１０に送信する（ステップＴ３）。
【００６９】
なお、このときに、遠隔操作手段２３が、携帯情報端末４０の端末情報を取得することにしても良い。
【００７０】
本実施の形態では、具体的には、遠隔操作手段５１は、表示部６５の画面サイズの情報等を送信する。
【００７１】
ステップＴ３で、端末情報が送信されると、遠隔操作手段２３は、ランチャーソフトウェアを起動する（ステップＴ４）。
【００７２】
ランチャーソフトウェアは、表示状態設定情報１１０に登録されているアプリケーションを、携帯情報端末４０から遠隔起動させるためのソフトウェアであって、ランチャーソフトウェアが起動されると、表示部３５にランチャーソフトウェアが表示される。
【００７３】
ステップＴ４で、ランチャーソフトウェアが起動されると、遠隔操作手段２３は、ランチャーソフトウェアを、ステップＴ３で取得した、表示部６５のサイズと同じサイズになるように自動調整し、サイズを調整した後のランチャーソフトウェアの画像情報を携帯情報端末４０に送信する（ステップＴ５）。
【００７４】
ステップＴ５で、ランチャーソフトウェアの画像情報が送信されると、遠隔操作手段５１は、表示部６５にランチャーソフトウェアの画像が表示した後、操作部６０を介した、ユーザーの操作により、遠隔操作手段５１が、選択したアプリケーションの起動要求を送信する（ステップＴ６）。
【００７５】
図９は、表示部６５に表示されているランチャーソフトウェアの画像のイメージである。
【００７６】
なお、本実施の形態では、ユーザーが、メールのアイコンを選択して、電子メールアプリケーションの起動要求するものとである。
【００７７】
また、本遠隔操作システムは、シンクライアントシステムであるため、具体的には、遠隔操作手段５１は、メールのアイコンが選択された旨を示す情報を、情報処理装置１０に送信する。
【００７８】
ステップＴ６で、アプリケーション起動要求が送信されると、遠隔操作手段２３は、要求を受けたアプリケーションを起動する（ステップＴ７）。
【００７９】
具体的には、ランチャーソフトウェアの各アイコンには、対応するアプリケーション識別番号Ｎ１が設定されており、アイコンに対応付けられているアプリケーション識別番号に基づいて、要求されたアプリケーションを起動する。
【００８０】
ステップＴ７で、アプリケーションが起動されると、表示状態変更手段２２は、表示状態設定情報１１０から、アプリケーション識別番号Ｎ１に基づいて、ウィンドウ識別番号Ｎ２と、ペイン識別番号Ｎ３とを取得する（ステップＴ８）。
【００８１】
ここで、同一の値のアプリケーション識別番号Ｎ１を有する、複数のウィンドウ識別番号Ｎ２が、表示状態設定情報１１０に登録されている場合には、どのウィンドウのペインを、表示部６５に表示させるか、ユーザーに遠隔操作で選択させても良い。
【００８２】
また、同一の値のウィンドウ識別番号Ｎ２に対して、複数のペイン識別番号Ｎ３が、表示状態設定情報１１０に登録されている場合にも、どのペインを、表示部６５に表示させるか、ユーザーに遠隔操作で選択させても良い。
【００８３】
本実施の形態では、図５を参照すると、表示状態設定情報１１０には、ウィンドウ識別番号Ｎ２の値が「２１」となる、３つの異なるペインの情報（管理番号が１０００の情報、管理番号が１００１の情報、管理番号が１００２の情報）が存在しているので、これらの中から選択されたペインを生成させることになる。
【００８４】
本実施の形態では、ペイン識別番号Ｎ３の値が「３１」であるペイン（管理番号の値が「１０００」のペインの情報が示すペイン）を表示させるものとする。
【００８５】
ステップＴ８で、ウィンドウ識別番号Ｎ２と、ペイン識別番号Ｎ３とを取得すると、表示状態変更手段２２は、表示状態設定情報１１０から、管理番号の値が「１０００」に対応するペインの、ペインサイズＮ４と表示位置Ｎ５とを参照して、Ｎ５において設定されている表示位置に、Ｎ４において設定されているサイズで、ペイン識別番号Ｎ３の値が示すペインを生成する（ステップＴ９）。
【００８６】
本実施の形態では、表示状態設定情報１１０において、管理番号が「１０００」となるペインの情報が示す各パラメータに基づいて生成する。
【００８７】
ステップＴ９で、ペインが表示されると、ステップＴ３で送信されてきた、携帯情報端末４０の端末情報に基づいて、横方向のサイズが一致するように、ペインのサイズを変更する（ステップＴ１０）。
【００８８】
具体的には、本実施の形態では、情報処理装置１０において、ユーザーが、該アプリケーションのウィンドウのサイズ変更を行なう際の処理と同様の処理を自動的に実行するが、他の方法でサイズ変更しても良い。
【００８９】
なお、本実施の形態では、横方向のサイズが一致するように、ペインのサイズを変更することとしているが、縦方向のサイズを一致するようにサイズを変更しても良い。
【００９０】
また、縦方向と横方向と、両方のサイズが一致するようにサイズを変更するようにしても良い。
【００９１】
ところで、ステップＳ３からステップＳ７の処理で、表示状態設定情報１１０を登録するときに、表示部６５のサイズにあわせて、サイズを変更したペインサイズＮ４と、表示位置Ｎ５とを、登録している場合には、ステップＴ１０の処理は不要である。
【００９２】
既に、登録時において、表示部６５のサイズに合わせて、ペインのサイズや表示位置を登録しているため、ステップＴ９において、表示部６５に合わせたペインを生成しているので、ステップＴ１０のサイズ変更の処理が不要だからである。
【００９３】
ステップＴ１０で、ペインのサイズを変更すると、遠隔操作手段２３は、変更された当該ペインの画像情報を、携帯情報端末４０に送信する（ステップＴ１１）。
【００９４】
なお、図６は、図４における電子メールアプリケーションのウィンドウ内のＡ２の領域のペインを表示部６５に表示させた場合の状態である。
【００９５】
ところで、ステップＴ１０の処理が不要の場合には、ステップＴ９で生成されたペインの画像情報を、携帯情報端末４０に送信する。
【００９６】
ステップＴ１１で、画像情報が送信され、表示部６５に表示された後、ユーザーがペインの切替を所望した場合、ユーザーの操作により、遠隔操作手段５１は、表示部６５に表示されているペインの切替要求を送信する（ステップＴ１２）。
【００９７】
具体的には、本実施の形態では、図６を参照して説明すると、操作部６０の横方向の矢印の形をしたボタンをいずれかの方向に押下することで、切替要求をする。
【００９８】
例えば、右方向にボタンが押下されると、表示状態設定情報１１０において、ペイン識別番号Ｎ３の値が「３１」と管理番号（現在表示部６５に表示されているペインの管理番号）を、同じウィンドウ識別番号Ｎ２の値を有していて、異なる値のペイン識別番号Ｎ３を有する管理番号を検索して、表示させる処理を開始する。
【００９９】
なお、本遠隔操作システムは、シンクライアントシステムであるため、具体的には、遠隔操作手段５１は、ペインの切替要求をされた旨を示す操作情報を、情報処理装置１０に送信する。
【０１００】
本実施の形態では、次に、ペイン識別番号Ｎ３の値が「３２」であるペイン（図４における電子メールアプリケーションのウィンドウ内のＡ３の領域のペイン）を表示させるとする。
【０１０１】
なお、図６を参照すると、受信しているメールのリストが表示部６５に表示されており、ポインタが指しているのは「鈴木太郎」から受け取ったメールである。
【０１０２】
ここで、操作部６０を介して、「鈴木太郎」から受け取ったメールの中身を読むための操作（例えば、操作部６０の「＃」ボタンを押下する操作）をすることで、ペインの切替要求を行う処理を開始することにしても良い。
【０１０３】
ステップＴ１２で、切替要求が送信されると、ウィンドウ識別番号Ｎ２と、ペイン識別番号Ｎ３とを示す情報に基づいて、表示状態変更手段２２は、表示状態設定情報１１０から、対応するペインの、ペインサイズＮ４と表示位置Ｎ５とを参照して、Ｎ５において設定されている表示位置に、Ｎ４において設定されているサイズで、ペイン識別番号Ｎ３の値が示すペインを生成する（ステップＴ１３）。
【０１０４】
本実施の形態では、表示状態設定情報１１０において、管理番号が「１００１」となるペインの情報が示す各パラメータに基づいて生成する。
【０１０５】
ステップＴ１３で、ペインを生成すると、ステップＴ３で送信されてきた、携帯情報端末４０の端末情報に基づいて、横方向のサイズが一致するように、ペインのサイズを変更させる（ステップＴ１４）。
【０１０６】
具体的には、情報処理装置１０において、ユーザーが、当該アプリケーションのウィンドウのサイズ変更を行なう際の処理と同様の処理を自動的に実行するが、他の方法でサイズ変更しても良い。
【０１０７】
なお、本実施の形態では、横方向のサイズが一致するように、ペインのサイズを変更することとしているが、縦方向のサイズを一致するようにサイズを変更しても良い。
【０１０８】
また、縦方向と横方向と、両方のサイズが一致するようにサイズを変更するようにしても良い。
【０１０９】
ところで、ステップＳ３からステップＳ７の処理で、表示状態設定情報１１０を登録するときに、表示部６５のサイズにあわせて、サイズを変更したペインサイズＮ４と、表示位置Ｎ５とを、登録している場合には、ステップＴ１４の処理は不要である。
【０１１０】
既に、登録時において、表示部６５のサイズに合わせて、ペインのサイズや表示位置を登録しているため、ステップＴ１３において、表示部６５に合わせたペインを生成しているので、ステップＴ１４のサイズ変更の処理が不要だからである。
【０１１１】
ステップＴ１４で、ペインのサイズを変更すると、遠隔操作手段２３は、変更された当該ペインの画像情報を、携帯情報端末４０に送信する（ステップＴ１５）。
【０１１２】
なお、図７は、図４における電子メールアプリケーションのウィンドウ内のＡ３の領域のペインを表示部６５に表示させた場合の画面である。
【０１１３】
同様に、図４における電子メールアプリケーションのウィンドウ内のＡ４の領域のペインを表示部６５に表示させたい場合には、ステップＴ１２からステップＴ１５の処理を行えばよい。
【０１１４】
なお、図８は、図４における電子メールアプリケーションのウィンドウ内のＡ４の領域のペインを表示部６５に表示させた場合の画面である。
【０１１５】
ところで、ステップＴ１４の処理が不要の場合には、ステップＴ１３で生成されたペインの画像情報を、携帯情報端末４０に送信する。
【０１１６】
ステップＴ１５で、ペインの画像情報が送信された後、形態情報端末４０を操作するユーザーが、情報処理装置１０との接続を切断したい場合には、ユーザーの操作により、遠隔操作手段５１が、情報処理装置１０に切断要求を送信する（ステップＴ１６）。
【０１１７】
ステップＴ１６で、切断要求が送信されると、遠隔操作手段２３は、携帯情報端末４０との接続を切断して、処理を終了する（ステップＴ１７）。
【０１１８】
なお、本実施の形態では、遠隔操作する対象のアプリケーションは、電子メールアプリケーションであるが、異なるアプリケーションであっても良い。
【０１１９】
以上のように、遠隔操作する対象のアプリケーションのウィンドウから、予め設定したペインを切り出して、表示部６５に表示することで、煩雑な作業を伴わずに、ユーザーが所望する画像を表示させることができる。
【図面の簡単な説明】
【０１２０】
【図１】本発明の実施の形態の、情報処理システムを説明するためのブロック図である。
【図２】本発明の実施の形態の、情報処理装置１０において表示状態設定情報１１０を登録する動作を説明するためのフローチャートである。
【図３】本発明の実施の形態の、遠隔操作システムの動作を説明するためのフローチャートである。
【図４】本発明の実施の形態の、表示状態設定情報１１０に設定する各ペインを説明するための電子メールアプリケーションの画面の例である。
【図５】本発明の実施の形態の、表示状態設定情報１１０を示す一例である。
【図６】本発明の実施の形態の、ペインＡ２を表示部６５に表示させた画面の例である。
【図７】本発明の実施の形態の、ペインＡ３を表示部６５に表示させた画面の例である。
【図８】本発明の実施の形態の、ペインＡ４を表示部６５に表示させた画面の例である。
【図９】本発明の実施の形態の、ランチャーの画面の例である。
【図１０】情報処理装置の表示画面の一例である。
【図１１】情報処理装置の表示画面の一部を切り出して表示させた携帯情報端末の表示画面の一例である。
【符号の説明】
【０１２１】
１０  情報処理装置
２０  制御部
２１  表示状態設定手段
２２  表示状態変更手段
２３  遠隔操作手段
３０  記憶部
３５  表示部
４０  携帯情報端末
５０  制御部
５１  遠隔操作手段
６０  操作部
６５  表示部
１００  公衆ネットワーク
１１０  表示状態設定情報
【図１】
0005042102.tif 000002
【図２】
0005042102.tif 000003
【図３】
0005042102.tif 000004
【図４】
0005042102.tif 000005
【図５】
0005042102.tif 000006
【図６】
0005042102.tif 000007
【図７】
0005042102.tif 000008
【図８】
0005042102.tif 000009
【図９】
0005042102.tif 000010
【図１０】
0005042102.tif 000011
【図１１】
0005042102.tif 000012